(57)【要約】【課題】直径の異なる光ディスクに対応するための光ディスクの位置決め機構を簡略化したスロットイン方式の光ディスク装置を提供する。【解決手段】フロントアーム１０１およびストッパアーム１０２はそれぞれの一端において互いに係合離脱自在に構成され、連動して動作し、フロントアーム１０１およびストッパアーム１０２は、カバーシャーシ９の裏面に配設されたディスクストッパと呼称される部材を溝部９ｇに沿って往復移動可能にするとともに、ディスクストッパ２０１の溝部９ｇに沿った移動範囲を、光ディスクの直径に応じて所定の範囲内に規制する。【選択図】図１
2006190407.tif 000002
【特許請求の範囲】
【請求項１】
光ディスクを直接に収納および排出自在で、収納された前記光ディスクに対して情報信号の記録および／または再生を行うための光ディスク装置であって、
収納された前記光ディスクを回転可能に支持するターンテーブルと、
収納または排出される前記光ディスクとの干渉を回避した下降位置と、収納された前記光ディスクを支持可能な上昇位置との間で、前記ターンテーブルを昇降させるターンテーブル昇降機構と、
少なくとも前記ターンテーブル昇降機構に対する駆動力を発生させる駆動源機構と、
前記光ディスクの進出退避方向に沿った中心軸上での位置決めを行う位置決め機構と、を備え、
前記位置決め機構は、
前記中心軸上に配設され、前記光ディスクの退避時には、前記光ディスクに当接し、前記光ディスクの退避位置を規制するディスクストッパと、
前記中心軸上での前記ディスクストッパの往復移動を可能にするとともに、前記ディスクストッパの移動を所定の範囲内に規制するアーム部と、
前記アーム部とは高さ位置の異なる平面上に配設され、前記アーム部の動きに連動して、前記光ディスクの進出退避方向に平行な方向での往復移動が可能なスライドプレートと、
前記ターンテーブル昇降機構の一部を構成し、前記スライドプレートの一部に係合して、前記スライドプレートの動きに連動して、前記進出退避方向と平面的に直交する第１の方向に直線的にスライドされるとともに、前記ターンテーブルの上昇に際しては、前記駆動源機構からの前記駆動力を受けて前記第１の方向にさらにスライドすることで、前記スライドプレートを強制的にスライドさせるスライダ部材とを有する、光ディスク装置。
【請求項２】
前記光ディスク装置を収納する筐体の上面に、前記光ディスクの前記進出退避方向に沿った中心軸上に設けられたガイド溝部を有し、
前記アーム部は、
前記ガイド溝部から突出する前記ディスクストッパの一部に、その一方の先端部が係合する細長形状のストッパアームと、
前記ストッパアームの他方の先端部と、その一方の先端部とが係合離脱自在な細長形状のフロントアームと、を有し、
前記ストッパアームは前記筐体の前記上面に回動可能に取り付けられ、
前記フロントアームは、前記筐体の前記上面に、その長手方向に沿った往復移動が可能であるとともに、回動可能に取り付けられ、回動により、前記ストッパアームの前記他方の先端部との係合位置が切り替え可能であって、
前記光ディスク装置内に収納される前記光ディスクの直径に応じて、前記ストッパアームと前記フロントアームとの係合位置が切り替わることで、前記中心軸上での前記ディスクストッパの移動範囲が、前記光ディスクの直径に応じて切り替わる、請求項１記載の光ディスク装置。
【請求項３】
前記ストッパアームは、
前記他方の先端部に設けられ、その上面から垂直に突出する第１および第２のボス部を有し、
前記フロントアームの前記一方の先端部は、前記第１および第２のボス部の一方と係合し、
前記フロントアームは、その長手方向の他方の先端部の裏面から垂直に延在し、前記筐体の内部に達する解除ロッドを有し、
前記解除ロッドの移動により、前記フロントアームの前記一方の先端部と、前記第１および第２のボス部のどちらかとの係合を解除するように前記フロントアームを回動させることで前記ストッパアームと前記フロントアームとの係合位置が切り替わる、請求項２記載の光ディスク装置。
【請求項４】
前記光ディスクは、
第１の光ディスクと、前記第１の光ディスクよりも直径の大きな第２の光ディスクとを含み、
前記解除ロッドは、前記第２の光ディスクを収納および排出する際に、前記光ディスクの端縁部が接触する長さに設定されるとともに、その水平方向での初期位置は、前記第２の光ディスクを収納、排出する際にのみ前記第２の光ディスクの側面に接触する位置に設定されている、請求項３記載の光ディスク装置。
【請求項５】
前記スライダ部材は、その主面を貫通し、その長手方向に延在する溝部を有し、
前記溝部は、輪郭が前記第１の方向とは反対の第２の方向に向かうにつれて高さが低くなる階段状に形成された部分を含み、
前記溝部の前記階段状の部分に前記スライドプレートの前記一部が係合した状態で、前記スライダ部材を前記第１の方向にスライドさせることで、前記ディスクストッパを前記光ディスクに当接した位置から、退避方向に離れた位置に移動させる、請求項１記載の光ディスク装置。
【請求項６】
前記ターンテーブルは、その揺動動作により前記ターンテーブルを昇降させるトラバースシャーシ上に搭載され、
前記スライドプレートは、
前記トラバースシャーシに隣接する側面側において、前記スライドプレートの裏面側から垂直に突出するように配設された係合ピンを有し、
前記光ディスクが前記情報信号の記録および／または再生を行う状態にまで前記ターンテーブルが上昇した段階で、前記トラバースシャーシに設けられたピン係合壁に、前記係合ピンが係合することで、前記スライドプレートの前記光ディスクの進出方向への移動が制限される、請求項１記載の光ディスク装置。
【発明の詳細な説明】
【技術分野】
【０００１】
本発明は、例えばコンパクト・ディスク（いわゆるＣＤ）やディジタル・バーサタイル・ディスク（いわゆるＤＶＤ）等の、情報記録媒体としての光ディスクに信号を記録、または記録された信号を再生するための光ディスク装置に関する。
【背景技術】
【０００２】
光ディスクを直接出し入れする、いわゆるスロットイン方式の光ディスク装置においては、例えば特許文献１に開示されるように、直径の異なる光ディスクに対応するために、光ディスクの進出退避方向に沿った中心軸上にディスクストッパと呼称される光ディスクの位置決め部材が設けられている。
【０００３】
ディスクストッパは、上記中心軸上の所定位置から中心軸に沿って往復移動可能に構成され、光ディスクが光ディスク装置内に収納された場合、光ディスクの直径に合わせてディスクストッパが所定の位置まで移動し、そこで移動を停止することで、光ディスクの進出退避方向での位置決めを自動的に行う構成となっていた。
【０００４】
【特許文献１】特開２００４−１８５７７１号公報（図５）
【発明の開示】
【発明が解決しようとする課題】
【０００５】
以上説明したように、従来の光ディスク装置では、ディスクストッパにより光ディスクの進出退避方向での位置決めを自動的に行う構成となっていたが、ディスクストッパを光ディスクの進出退避方向に沿った中心軸上で往復移動可能とするための機構が複雑であり、構造的にトラブルが発生しやすく、また、製造コストの増加が予想される。
【０００６】
本発明は上記のような問題点を解消するためになされたもので、直径の異なる光ディスクに対応するための光ディスクの位置決め機構を簡略化したスロットイン方式の光ディスク装置を提供することを目的とする。
【課題を解決するための手段】
【０００７】
本発明に係る光ディスク装置は、光ディスクを直接に収納および排出自在で、収納された前記光ディスクに対して情報信号の記録および／または再生を行うための光ディスク装置であって、収納された前記光ディスクを回転可能に支持するターンテーブルと、収納または排出される前記光ディスクとの干渉を回避した下降位置と、収納された前記光ディスクを支持可能な上昇位置との間で、前記ターンテーブルを昇降させるターンテーブル昇降機構と、少なくとも前記ターンテーブル昇降機構に対する駆動力を発生させる駆動源機構と、前記光ディスクの進出退避方向に沿った中心軸上での位置決めを行う位置決め機構とを備え、前記位置決め機構は、前記中心軸上に配設され、前記光ディスクの退避時には、前記光ディスクに当接し、前記光ディスクの退避位置を規制するディスクストッパと、前記ディスクストッパの前記中心軸上での往復移動を可能にするとともに、前記ディスクストッパの移動を所定の範囲内に規制するアーム部と、記アーム部とは高さ位置の異なる平面上に配設され、前記アーム部の動きに連動して、前記光ディスクの進出退避方向に平行な方向での往復移動が可能なスライドプレートと、前記ターンテーブル昇降機構の一部を構成し、前記スライドプレートの一部に係合して、前記スライドプレートの動きに連動して、前記進出退避方向と平面的に直交する第１の方向に直線的にスライドされるとともに、前記ターンテーブルの上昇に際しては、前記駆動源機構からの前記駆動力を受けて前記第１の方向にさらにスライドすることで、前記スライドプレートを強制的にスライドさせるスライダ部材とを有している。
【発明の効果】
【０００８】
本発明に係る光ディスク装置によれば、光ディスクの進出退避方向に沿った中心軸上での位置決めを行う位置決め機構が、ディスクストッパと、中心軸上でのディスクストッパの往復移動を可能にするとともに、中心軸上でのディスクストッパの移動を所定の範囲内に規制するアーム部と、アーム部とは高さ位置の異なる平面上に配設され、アーム部の動きに連動して、光ディスクの進出退避方向に平行な方向での往復移動が可能なスライドプレートと、スライドプレートの一部に係合して、スライドプレートの動きに連動して第１の方向に直線的にスライドするスライダ部材とで構成されるので、比較的簡単な構造で光ディスクの進出退避方向での位置決めを自動的に行うことができ、構造的なトラブルが発生しにくく、また、製造コストも低減した光ディスク装置を得ることができる。
【発明を実施するための最良の形態】
【０００９】
＜実施の形態＞
＜Ａ．基本的構成および動作＞
本発明に係る実施の形態の光ディスク装置１の特徴的な構成および動作について、図１〜図１１を用いて説明する。
【００１０】
＜Ａ−１．外観的構成＞
図１および図２は、光ディスク装置１を斜め上方から見た場合の外観構成を示すとともに、直径８ｃｍの光ディスクＰＤ１（第１の光ディスク）を光ディスク装置１内に収納する前の状態および、収納した後の状態を示す斜視図である。なお、以下の説明においては、説明の便宜上、光ディスクの進出退避方向に平行な軸をＹ軸（光ディスクの退避方向を（＋）Ｙ方向、進出方向を（−）Ｙ方向とする）とし、光ディスクの主面において上記Ｙ軸と直交する軸をＸ軸（Ｙ軸（＋）方向に向いて右側を（＋）Ｘ方向、左側を（−）Ｘ方向とする）とし、光ディスクの主面に直交する軸をＺ軸（光ディスクのレーベル面側を（＋）Ｚ方向、記録面側を（−）Ｚ方向とする）として説明する。
【００１１】
図１に示すように光ディスク装置１は、メインシャーシ１１と、メインシャーシ１１の上蓋とも言えるカバーシャーシ９とで筐体１０を構成し、当該筐体１０の１つの側面に光ディスクを出し入れ可能に構成されたスロット状のディスク出入口ＳＬが形成されている。
【００１２】
ディスク出入口ＳＬは、メインシャーシ１１に設けられた開口部１１ｈと、カバーシャーシ９に設けたられた開口部９ｈとが合わされることで形成され、開口部９ｈ側にはフラップ２０と呼称される光ディスクの押さえ板が配設されている。
【００１３】
フラップ２０は平面視形状が細長い矩形状をなし、その幅方向においてディスク出入口ＳＬに挿入された構成を採り、光ディスクが挿入されていない状態ではフラップ２０の主面が斜めに傾いた状態にあり、光ディスクが挿入されている状態、および光ディスクの進出退避に際してはフラップ２０の主面が光ディスクの主面に対してほぼ平行となるように可動に構成されている。なお、図２では光ディスクが光ディスク装置１内に収納されており、フラップ２０の主面が光ディスクの主面に対してほぼ平行となった状態を示している。
【００１４】
また、カバーシャーシ９の上面には、中心よりややディスク出入口ＳＬ寄りの位置に円筒状のクランパ収容部９ａが設けられ、クランパ収容部９ａ内に、クランパ１８と呼称される光ディスクの保持部材が回転自在に収容されている。
【００１５】
このクランパ１８は、Ｙ軸に沿って往復移動する光ディスクと干渉しないように、光ディスクの移動軌跡の高さ位置よりも上側（（＋）Ｚ方向側）の位置に支持されている。また、クランパ１８の内部にはマグネットが収納されており、当該マグネットの磁力によってクランパ１８と後述するターンテーブル５２（図３）とが吸引し合うことによって、クランパ１８とターンテーブル５２との間に光ディスクを圧着保持する。
【００１６】
カバーシャーシ９の上面の左（（−）Ｘ方向）端部分には、フロントアーム１０１と呼称される細長い部材がＹ方向に延在するように配設され、フロントアーム１０１の長手方向のディスク出入口ＳＬ側とは反対側の先端部の下から（＋）Ｘ方向に延在するようにストッパアーム１０２と呼称する細長い部材が配設されている。
【００１７】
フロントアーム１０１およびストッパアーム１０２はそれぞれの一端において互いに係合離脱自在に構成され、係合した状態では連動して動作する構成となっている。
【００１８】
すなわち、ストッパアーム１０２は長手方向の一方の先端部が、他方の先端部よりも極端に幅が狭い形状を有し、一方の先端部には長手方向に延在する開口部１０２ｃを有している。そして、他方の先端部には幅方向にほぼ沿って直列に配接され、ストッパアーム１０２の上面から突出するボス部１０２ａおよび１０２ｂ（第１および第２のボス部）（図１３）を有している。
【００１９】
このボス部１０２ａおよび１０２ｂのどちらかと、フロントアーム１０１の長手方向のディスク出入口ＳＬとは反対側の先端部の裏面に設けられたボス受け部１０１ｆ（図１２）とが係合することで、フロントアーム１０１およびストッパアーム１０２が連動することが可能となる。
【００２０】
フロントアーム１０１はそのほぼ中央部に、長手方向に沿った細長い開口部１０１ａを有し、当該開口部１０１ａにはカバーシャーシ９の上面から垂直に突出するボス部９ｂが係合し、フロントアーム１０１は開口部１０１ａの形状に沿って長手方向に往復移動可能であるとともに、ボス部９ｂを中心にして回動可能に構成されている。また、フロントアーム１０１のほぼ中央部の、クランパ収容部９ａ側の側面にはバネ１０４（例えばコイルバネ）の一方端が接続されるフック部１０１ｃが設けられている。そして、バネ１０４の他方端は、フロントアーム１０１の近傍のカバーシャーシ９の上面から垂直に突出するボス部９ｃに接続されている。バネ１０４によって付勢されたフロントアーム１０１は、回動運動および直線運動に際して動きが規制されることとなる。
【００２１】
また、ストッパアーム１０２は、カバーシャーシ９の上面に回動可能に取り付けられ、ストッパアーム１０２が回動することで、フロントアーム１０１が長手方向に往復移動することになる。なお、フロントアーム１０１およびストッパアーム１０２の構造については、後にそれぞれ図１２および図１３を用いてさらに説明する。
【００２２】
フロントアーム１０１およびストッパアーム１０２は、カバーシャーシ９の裏面に配設されたディスクストッパ２０１（図３）と呼称される部材を、溝部９ｇ（ガイド溝部）に沿って往復移動可能にするとともに、ディスクストッパ２０１の溝部９ｇに沿った移動範囲を、光ディスクの直径に応じて所定の範囲内に規制するための部材であり、フロントアーム１０１およびストッパアーム１０２を合わせてアーム部と呼称する。
【００２３】
ディスクストッパ２０１は光ディスクが光ディスク装置１内に退避（収納）する際に、光ディスクの側面に当接するように、ターンテーブル５２の近傍が初期位置となるように配設されており、カバーシャーシ９のクランパ収容部９ａよりも（＋）Ｙ方向の中心軸に沿って形成された溝部９ｇに案内され、当該中心軸に沿って往復移動することが可能である。なお、ディスクストッパ２０１の構造については後に図１４および図１５を用いてさらに説明する。
【００２４】
ストッパアーム１０２の先端部の開口部１０２ｃには溝部９ｇから突出するディスクストッパのボス部２０１ａが係合しているので、ディスクストッパ２０１の溝部９ｇに沿った移動に伴い、ストッパアーム１０２およびフロントアーム１０１が連動して動くことになる。
【００２５】
なお、光ディスクが光ディスク装置１内から進出（排出）する際には、ディスクストッパ２０１はストッパアーム１０２を付勢するバネ１０３の弾性力で初期位置に向けて押し戻される。なお、バネ１０３としては、例えばねじりバネの一種を使用し、その一方端がカバーシャーシ９の上面から垂直に突出するボス部９ｄに接続され、他方端がストッパアーム１０２の裏面に係合する構成となっている。
【００２６】
図１では光ディスクＰＤ１が光ディスク装置１内に退避しておらず、ディスクストッパ２０１が初期位置にある状態を示しているが、図２に示すように光ディスクＰＤ１が光ディスク装置１内に退避すると、ボス部２０１ａの位置から判るように、ディスクストッパ２０１が光ディスクＰＤ１に押されて退避方向に移動し、フロントアーム１０１とストッパアーム１０２のなす角度が、図１の状態に比べて広くなるとともに、フロントアーム１０１は（−）Ｙ方向にスライドする。
【００２７】
＜Ａ−２．トラバースユニットの構成＞
図３には、メインシャーシ１１（図１）内に配設され、メインシャーシ１１に対して揺動自在に支持されたトラバースユニット５０と呼称される構成と、トラバースユニット５０の周辺の構成を説明する斜視図であり、本発明と関連の薄い構成については図示を省略している。
【００２８】
トラバースユニット５０は、トラバースシャーシ５１と呼称される方形枠状体を基体としており、トラバースシャーシ５１においては、光ディスクの退避方向側（（＋）Ｙ方向側）の端部に、Ｘ方向に平行するように回動軸５１ａおよび５１ｂが設けられ、回動軸５１ａおよび５１ｂがメインシャーシ１１に回動自在に支持されることで、回動軸５１ａおよび５１ｂによって構成される揺動軸Ｐ１を中心にしてメインシャーシ１１内で揺動可能となっている。
【００２９】
上述のようにトラバースシャーシ５１は揺動軸Ｐ１を中心にして揺動するので、トラバースシャーシ５１の光ディスクの進出方向側（（−）Ｙ方向側）の端部を揺動変位側端部と呼称する。なお、トラバースシャーシ５１の揺動により、ターンテーブル５２が昇降することになる。
【００３０】
図３に示すように、トラバースシャーシ５１の揺動変位側端部の先端部近傍には、ターンテーブル５２が設けられている。このターンテーブル５２は、磁力により引き寄せられる性質を持つ鉄等の材料により形成されており、クランパ１８（図１）との間で光ディスクを挟持する構成となっている。この状態で、後述する回転駆動源機構としてのスピンドルモータ５４の駆動力を受けて光ディスクと一体的に回転する。
【００３１】
また、トラバースシャーシ５１内には、ターンテーブル５２と揺動軸Ｐ１側の端部との間に、兼用モータ６２の駆動力を受けてＹ軸に沿って移動可能な光ピックアップ５７が配設されている。この光ピックアップ５７は、光ディスクに信号を記録および／または光ディスクに記録された信号を再生するための構成である。なお、光ピックアップ５７の（＋）Ｘ方向側には、兼用モータ６２の駆動力を光ピックアップ５７のＹ軸に沿った移動のための駆動力に変換するスライドラック５８が設けられている。スライドラック５８には、スライドラック５８を駆動するギヤが噛合する際のバックラッシュを防止するバネ５９を有している。
【００３２】
また、光ピックアップ５７の一方の側面外方には兼用モータ６２が設けられている。この兼用モータ６２は、ディスク搬送動作とターンテーブル昇降動作とピックアップ送り動作との駆動源として用いられる。
【００３３】
また、トラバースシャーシ５１の揺動変位側の端部には、ほぼＸ軸に沿って可動なトリガープレート６９が配設されている。トリガープレート６９は、平面視形状が細長い矩形状をなしており、その幅方向の一方の側面部においてカムスライダ３０（スライダ部材）と係合し、また他方の側面側の端縁部のトリガープレート６９の長手方向中間部にはカム溝６９ｂが形成されている。カム溝６９ｂは、スライドラック５８のボス部５８ａが係合可能な溝状に形成されており、その延在方向の途中部分で屈曲している。スライドラック５８が（−）Ｙ方向に移動して、ボス部５８ａがカム溝６９ｂ内を挿入されて該カム溝６９ｂ内を移動することで、トリガープレート６９はカム溝６９ｂの屈曲形状に応じた方向に移動される。
【００３４】
カムスライダ３０は、メインシャーシ１１（図示せず）の光ディスクの進出方向（（−）Ｙ方向）側の端部に、光ディスクの進出退避方向と直交する方向（Ｘ軸）に沿って往復動可能に支持されており、その全体形状は、平面視形状が細長い矩形状をなす第１片３０ｐと、その一方の側面から垂直に延在する第２片３０ｑとで構成されている。
【００３５】
そして第１片３０ｐの長手方向の一方の端部からは、側面にラック歯車３０ａが設けられたギヤ部３０ｄが延在している。ギヤ部３０ｄの平面視形状は細長い矩形状をなし、第１片３０ｐの長手方向に沿って延在し、その幅は第１片３０ｐよりも狭く、ラック歯車３０ａは第２片３０ｑが設けられた側とは反対側の側面の一部に設けられている。
【００３６】
また、第１片３０ｐの長手方向の他方の端部側の、第２片３０ｑが設けられた側とは反対側の側面から水平に張り出すように、フラップ２０の開閉に寄与する小片部３０ｂが設けられている。小片部３０ｂは、第１片３０ｐの長手方向に沿ってギヤ部３０ｄとは反対側にも延在するように構成されている。
【００３７】
さらに、第１片３０ｐの長手方向の他方の端部側には、第１片３０ｐの主面を貫通する溝部３０ｃが設けられている。
【００３８】
溝部３０ｃは、平面視形状が略Ｌ字形をなし、第１片３０ｐの長手方向に沿った略直線状の部分と、第２片３０ｑが設けられた側面に向かって斜めに延在する部分とを有している。そして、この溝部３０ｃには、スライドプレート４０が係合する構成となっている。
【００３９】
スライドプレート４０は、メインシャーシ１１（図示せず）の（−）Ｘ方向側の端部に、光ディスクの進出退避方向（Ｙ軸）に略沿って往復動可能に支持されており、その全体形状は、平面視形状が細長い矩形状をなす第１片４０ｐと、第１片４０ｐの長手方向の一方の端部から、当該長手方向に沿って延在する第２片４０ｑとで構成されている。そして第２片４０ｑの先端部４０ａの裏面から垂直に突出するボス部４０ｔ（図１６）が溝部３０ｃに係合している。従って、スライドプレート４０は、カムスライダ３０がＸ軸に沿って往復動するのに連動して、Ｙ軸に略沿うように往復動することになる。
【００４０】
さらに、第１片４０ｐには、主面を貫通し幅方向に略沿って延在する溝部４０ｂが設けられている。なお、溝部４０ｂが設けられた部分は、第１片４０ｐの側面の一部が水平方向に張り出した部分であり、溝部４０ｂは若干の弧を描くように形成されている。
【００４１】
そして溝部４０ｂには、図１において説明したフロントアーム１０１の裏面から垂直方向に延在する突起部１０１ｂが係合する構成となっており、フロントアーム１０１のＹ軸に略沿った往復動に連動して、スライドプレート４０もＹ軸に沿って動作する構成となっている。
【００４２】
また、図３においては、光ディスクの搬送に使用される搬送ローラ２１ｂ、ローラギヤ２２およびギヤ２３を示すとともに、メインシャーシ１１（図示せず）の側面内壁に回動自在に支持され、ギヤ２２およびギヤ２３に係合するギヤ６８と、メインシャーシ１１（図示せず）の内側底面に回動自在に支持され、ギヤ２３およびギヤ６６に係合するギヤ６７とを併せて示している。なお、ギヤ６６およびギヤ６７は、兼用モータ６２の回転駆動力を各機構の駆動力として伝える一連のギヤ群の一部を構成しているが、本発明との関係が薄いギヤについて説明は省略する。
【００４３】
＜Ａ−３．８ｃｍ光ディスクの退避動作＞
次に、図４〜図６を用いて光ディスクＰＤ１の退避動作の進行状況と、そのときのディスクストッパ２０１およびそれに関連する部材の位置関係を説明する。なお、図４〜図６においては、カバーシャーシ９を除去するとともに、光ディスク装置１内においてディスクストッパ２０１と関連の薄い構成については省略している。
【００４４】
図４は、搬送ローラ２１ｂ（図３）によって光ディスクＰＤ１が光ディスク装置１内に収納され、光ディスクＰＤ１の退避方向の端縁部がディスクストッパ２０１に当接した直後の状態を示している。この状態ではターンテーブル５２は最も下降した位置にある。なお、このときのトラバースシャーシ５１の状態については、後に図１６を用いてさらに説明する。
【００４５】
図５は、光ディスクＰＤ１がディスクストッパ２０１に当接後、ディスクストッパ２０１をさらに少し退避方向に押しやるように移動して、ターンテーブル５２の中心と光ディスクＰＤ１の中心とが一致した状態を示しており、ストッパアーム１０２に連動してフロントアーム１０１が（−）Ｙ方向にスライドし、それに伴ってスライドプレート４０も（−）Ｙ方向にスライドする。
【００４６】
そして、スライドプレート４０の（−）Ｙ方向のスライドにより、カムスライダ３０が僅かながら（−）Ｘ方向側に引き戻され、その結果、カムスライダ３０がギヤ６７（図３）に噛合するようになり、ギヤ６７の回転駆動力によりカムスライダ３０が（−）Ｘ方向にさらにスライドされ、これに伴って、トラバースシャーシ５１の揺動変位側端部が、ターンテーブル５２（図３）をクランパ１８（図１）に近づける方向に揺動し、ターンテーブル５２が上昇を開始する。なお、このときのトラバースシャーシ５１の動作については、後に図１７を用いてさらに説明する。
【００４７】
図６は、ターンテーブル５２（図３）が完全に上昇して、クランパ１８（図１）とターンテーブル５２とが吸引し合って、クランパ１８とターンテーブル５２との間に光ディスクＰＤ１が圧着保持された状態を表している。
【００４８】
ターンテーブル５２が完全に上昇することで接触防止機構により、ディスクストッパ２０１がさらに少し退避方向に移動することとなり、光ディスクＰＤ１がディスクストッパ２０１に接触しなくなり、光ディスクＰＤ１の回転に際してディスクストッパ２０１が干渉することが防止される。なお、上述した接触防止機構については、後に図１８を用いてさらに説明する。
【００４９】
ここで、ディスクストッパ２０１はターンテーブル５２の近傍が初期位置となるように配設されており、この初期位置は光ディスクＰＤ１を収納する場合に適した位置に設定されており、また、フロントアーム１０１がストッパアーム１０２のボス部１０２ａに係合した状態では、フロントアーム１０１およびストッパアーム１０２は、直径８ｃｍの光ディスクＰＤ１に応じた範囲でしか動作せず、この範囲を超えるようにディスクストッパ２０１を退避方向に動かすことはできない。
【００５０】
＜Ａ−４．１２ｃｍ光ディスクの退避動作＞
図７および図８は、光ディスク装置１を斜め上方から見た場合の外観構成を示すとともに、直径１２ｃｍの光ディスクＰＤ２（第２の光ディスク）を光ディスク装置１内に収納する前の状態および、収納した後の状態を示す斜視図である。なお、図７および図８においては、装置構成的には図１および図２と変わらないので、重複する説明は省略し、各部材の動作の違いを中心に説明する。
【００５１】
図７では光ディスクＰＤ２が光ディスク装置１内に退避しておらず、ディスクストッパ２０１が初期位置にある状態を示しているが、図８に示すように光ディスクＰＤ２が光ディスク装置１内に退避すると、ボス部２０１ａの位置から判るように、ディスクストッパ２０１が光ディスクＰＤ１に押されて退避方向に移動し、フロントアーム１０１とストッパアーム１０２のなす角度が、図１の状態に比べて広くなるとともに、フロントアーム１０１は（−）Ｙ方向にスライドする。
【００５２】
このとき、フロントアーム１０１は直線動作に加えて回動動作も行い、ストッパアーム１０２上のボス部１０２ｂが、フロントアーム１０１と係合する。
【００５３】
次に、図９〜図１１を用いて光ディスクＰＤ２の退避動作の進行状況と、そのときのディスクストッパ２０１およびそれに関連する部材の位置関係を説明する。なお、図９〜図１１においては、カバーシャーシ９を除去するとともに、光ディスク装置１内においてディスクストッパ２０１と関連の薄い構成については省略している。
【００５４】
図９は、搬送ローラ２１ｂ（図３）によって光ディスクＰＤ１が光ディスク装置１内に収納され、光ディスクＰＤ１の退避方向の端縁部がディスクストッパ２０１に当接した直後の状態を示している。
【００５５】
先に説明したように、フロントアーム１０１がストッパアーム１０２のボス部１０２ａに係合した状態では、フロントアーム１０１およびストッパアーム１０２は、直径８ｃｍの光ディスクＰＤ１に応じた範囲でしか動作せず、この範囲を超えるようにディスクストッパ２０１を退避方向に動かすことはできない。
【００５６】
しかし、直径１２ｃｍの光ディスクＰＤ２を光ディスク装置１内に収納する場合、ディスクストッパ２０１を退避方向にさらに移動させなければならず、そのための構成がフロントアーム１０１に設けられた解除ロッド１０１ｅである。
【００５７】
解除ロッド１０１ｅはフロントアーム１０１の長手方向のディスク出入口ＳＬ側の先端部の裏面から垂直に延在しており、その長さは、光ディスクＰＤ２を収納する際および排出する際に、光ディスクＰＤ２の側面が必ず接触する長さに設定され、また、その水平方向での初期位置は、光ディスクＰＤ２を収納、排出する際にのみ光ディスクＰＤ２の側面に接触する位置に設定されている。
【００５８】
図９においては、光ディスクＰＤ２が半分以上収納され、退避方向の側面がディスクストッパ２０１に当接するとともに、（−）Ｘ方向の側面が解除ロッド１０１ｅに当接した状態を示している。
【００５９】
ここで、フロントアーム１０１は、図１を用いて説明したように、ボス部９ｂを中心にして回動可能に構成されており、光ディスクＰＤ２の側面に当接した解除ロッド１０１ｅは（−）Ｘ方向に移動し、それによって解除ロッド１０１ｅが設けられた側の先端部とは反対側の先端部が（＋）Ｘ方向に移動するようにフロントアーム１０１が回動する。
【００６０】
このとき、フロントアーム１０１と、ストッパアーム１０２のボス部１０２ａとの係合が解除され、ディスクストッパ２０１とストッパアーム１０２のみが光ディスクＰＤ２に押されてさらに退避方向に進むことになる。
【００６１】
そして、光ディスクＰＤ２の退避動作がさらに進行すると、一旦解除されたフロントアーム１０１とストッパアーム１０２のボス部１０２ａとの係合は、バネ１０４の弾性力でフロントアーム１０１が反時計回りに回動し、ターンテーブル５２の中心と光ディスクＰＤ２の中心とが一致する直前の位置で、ストッパアーム１０２のボス部１０２ｂとフロントアーム１０１の裏面に設けられたボス受け部１０１ｆ（図１２）との係合に切り替わる。
【００６２】
フロントアーム１０１がボス部１０２ｂに係合した状態では、ストッパアーム１０２は初期位置に戻ることはできない状態となり、光ディスクＰＤ２の退避動作の進行とともに、ディスクストッパ２０１がさらに退避方向に進む。
【００６３】
このように、フロントアーム１０１とストッパアーム１０２とは、光ディスクの直径に応じて、係合位置が切り替わるように構成されており、それにより、ディスクストッパ２０１のＹ軸に沿った中心軸上での移動範囲を、光ディスクの直径に応じて切り替えることが可能となっている。従って、直径の異なる光ディスクに対して、進出退避方向に沿った中心軸上での位置決めを自動的に行うことが可能となる。
【００６４】
また、フロントアーム１０１とストッパアーム１０２との係合の解除を、フロントアーム１０１に一体的に形成された解除ロッド１０１ｅのような単純な構成を用いて行うので、構造が簡略化され、構造上のトラブルの発生を防止できる。
【００６５】
図１０は、光ディスクＰＤ２がディスクストッパ２０１に当接後、ディスクストッパ２０１をさらに退避方向に押しやるように移動して、ターンテーブル５２の中心と光ディスクＰＤ２の中心とが一致した状態を示しており、ストッパアーム１０２に連動してフロントアーム１０１が（−）Ｙ方向にスライドし、それに伴ってスライドプレート４０も（−）Ｙ方向にスライドする。
【００６６】
そして、スライドプレート４０の（−）Ｙ方向のスライドにより、カムスライダ３０が僅かながら（−）Ｘ方向側に引き戻され、その結果、カムスライダ３０がギヤ６７（図３）に噛合するようになり、ギヤ６７の回転駆動力によりカムスライダ３０が（−）Ｘ方向にさらにスライドされ、これに伴って、トラバースシャーシ５１の揺動変位側端部が、ターンテーブル５２（図３）をクランパ１８（図１）に近づける方向に揺動し、ターンテーブル５２が上昇を開始する。
【００６７】
なお、ここまで光ディスクＰＤ２が退避すると、光ディスクＰＤ２の端縁部は解除ロッド１０１には接触しなくなり、次に接触するのは、光ディスクＰＤ２が進出方向に移動する際であり、その時には、フロントアーム１０１とボス部１０２ｂとの係合が解除され、フロントアーム１０１はボス部１０２ａと係合することになる。
【００６８】
図１１は、ターンテーブル５２（図３）が完全に上昇して、クランパ１８（図１）とターンテーブル５２とが吸引し合って、クランパ１８とターンテーブル５２との間に光ディスクＰＤ２が圧着保持された状態を表している。
【００６９】
ターンテーブル５２が完全に上昇することで、後に説明する接触防止機構により、ディスクストッパ２０１がさらに少し退避方向に移動することとなり、光ディスクＰＤ２がディスクストッパ２０１に接触しなくなり、光ディスクＰＤ２の回転に際してディスクストッパ２０１が干渉することが防止される。
【００７０】
＜Ｂ．各部の構成＞
ここで再び図３を参照しつつ、図１２〜図１５を用いて、ディスクストッパ２０１およびその動作に関連する各部材の構成について説明する。
【００７１】
＜Ｂ−１．フロントアームの構成＞
図１２にフロントアーム１０１を裏面側（すなわちカバーシャーシ９の上面に対面する側の主面側）から見た場合の斜視図を示す。
図１２に示すように、フロントアーム１０１の裏面には、長手方向の一方の先端部において主面から垂直に延在する解除ロッド１０１ｅが配設され、また、他方の先端部においては、突起部１０１ｂが設けられた側の側面に開口部を有する溝状のボス受け部１０１ｆが設けられている。また、ボス受け部１０１ｆよりも開口部１０１ａ寄りに近い部分はボス収納部１０１ｇとなっており、ボス受け部１０１ｆと同じ側に開口部を有している。
【００７２】
先に説明したように、ボス受け部１０１ｆには、ストッパアーム１０２に設けられたボス部１０２ａおよび１０２ｂのどちらかが係合し、ボス受け部１０１ｆにボス部１０２ｂが係合される場合には、ボス収納部１０１ｇにボス１０２ａが収納されることになる。
【００７３】
また、突起部１０１ｂは、ボス収納部１０１ｇと開口部１０１ａとの間に設けられている。
【００７４】
＜Ｂ−２．ストッパアームの構成＞
図１３にストッパアーム１０２を上面側（すなわちカバーシャーシ９の上面に対面する側とは反対側の主面側）から見た場合の斜視図を示す。
図１３に示すように、ストッパアーム１０２の上面には、長手方向の一方の先端部において長手方向に延在する開口部１０２ｃが設けられ、他方の先端部においては、主面から垂直に延在するボス部１０２ａおよび１０２ｂが設けられている。ボス部１０２ａおよび１０２ｂは、幅方向にほぼ沿って直列に配接されている。
【００７５】
＜Ｂ−３．ディスクストッパの構成＞
図１４にディスクストッパ２０１を上面側から見た場合の斜視図を、また、図１５にディスクストッパ２０１を裏面側から見た場合の斜視図を示す。
【００７６】
図１４および図１５に細長形状の上面板２０１ｃと、上面板２０１ｃの裏面に対して垂直に設けられ、上面板２０１ｃの長手方向に沿って弧を描くように延在する側面板２０１ｅと、側面板２０１ｃの長手方向の両端部にそれぞれ接するように、上面板２０１ｃの裏面から垂直に突出する２本の当接柱２０１ｄとを有している。当接柱２０１ｄは側面板２０１ｃの厚みよりも大きな直径を有しており、光ディスクＰＤ１およびＰＤ２の側面は、この当接柱２０１ｄに当接し、側面板２０１ｃには直接に接しない構成となっている。
【００７７】
なお、図１５においては、光ディスクＰＤ１（およびＰＤ２）を仮想的に示しているが、これは、先に述べたように、光ディスクＰＤ１（およびＰＤ２）がディスクストッパ２０１に当接した後、接触防止機構により、ディスクストッパ２０１がさらに少し退避方向に移動した場合の、ディスクストッパ２０１と光ディスクＰＤ１（およびＰＤ２）との位置関係を示しており、光ディスクＰＤ１（およびＰＤ２）がディスクストッパ２０１のどの部分にも接触しないので、光ディスクＰＤ１（およびＰＤ２）の回転に際してディスクストッパ２０１が干渉することがない。
【００７８】
また、上面板２０１ｃの上面の長手方向中央部に、上面に対して垂直に突出するようにボス部２０１ａが設けられ、ボス部２０１ａを中心とし、上面板２０１ｃの上面の幅方向の両端部からそれぞれ垂直に突出するように設けられ、カバーシャーシ９の溝部９ｇ（図１）に係合する２つのガイド部２０１ｂとを有している。
【００７９】
ガイド部２０１ｂは、カバーシャーシ９の溝部９ｇの幅よりも少し広い部材であり、ボス部２０１ａとともに、溝部９ｇと同じ程度の幅を有する基台２０１ｘ上に配設され、基台２０１ｘが溝部９ｇに係合した状態ではガイド部２０１ｂは溝部９ｇ上を溝幅方向に覆うように突出し、ディスクストッパ２０１が溝部９ｇから外れることを防止するとともに、ディスクストッパ２０１がボス部２０１ａを中心として回動することを防止している。
【００８０】
＜Ｃ．装置動作＞
次に、図１〜図３を参照しつつ、図１６〜図１８を用いて光ディスク装置１におけるディスク搬送動作、ターンテーブル昇降動作およびピックアップ送り動作の動作を説明する。
【００８１】
＜Ｃ−１．光ディスク非退避状態での動作＞
図１６は、図４および図９に示したように、光ディスクが光ディスク装置１内に完全には退避しておらず、ターンテーブル５２や光ピックアップ５７等が配されたトラバースシャーシ５１は、この後、装置１内部に引き込まれる光ディスクとターンテーブル５２との干渉を避けるために、回動軸５１ａ、５１ｂを中心にトラバースシャーシ５１の揺動変位側端部をターンテーブル５２がクランパ１８（図１）から離間する方向に揺動し、メインシャーシ１１に対して傾斜した状態を示している。
【００８２】
このときカムスライダ３０は（＋）Ｘ方向の最終点に位置しており、カムスライダ３０のギヤ部３０ｄのラック歯車３０ａはギヤ６７には噛合せず、ギヤ６７の回転駆動力は、カムスライダ３０のスライド動作には寄与していない。なお、この状態では、ギヤ６７の回転駆動力は搬送ローラ２１ｂ（図３）の光ディスクを退避させる方向の回転にのみ寄与している。
【００８３】
また、カムスライダ３０は（＋）Ｘ方向の最終点に位置しているので、スライドプレート４０の第２片４０ｑの先端部４０ａの裏面から垂直に突出するボス部４０ｔは、カムスライダ３０の溝部３０ｃの（−）Ｘ方向側の最端部に位置している。
【００８４】
また、スライドプレート４０の第２片４０ｑの、ボス部４０ｔが設けられた側の側面には、ボス部４０ｔと同じ方向に突出する係合ピン４０ｆが設けられている。係合ピン４０ｆはボス部４０ｔからスライドプレート４０の長手方向に沿って少し離れた位置に配設され、その先端部は円錐状となっている。
【００８５】
一方、トラバースシャーシ５１には、係合ピン４０ｆに対向する位置に、ピン係合壁５１ｘが設けられている。トラバースシャーシ５１の揺動変位側端部の（−）Ｘ方向の側面に、当該側面に対して垂直に突出するように設けられている。
【００８６】
この係合ピン４０ｆおよびピン係合壁５１ｘが、光ディスクＰＤ１（およびＰＤ２）とディスクストッパ２０１との接触防止機構を構成している。
【００８７】
なお、スライドプレート４０の第１片４０ｐには、その長手方向に沿うように細長く設けられた開口部４０ｄおよび４０ｅを有しており、両者の長手方向の中心軸は一致し、開口部４０ｄおよび４０ｅを介してネジ止めすることでスライドプレート４０がメインシャーシ１１の底面に取り付けられるが、上記ネジは、スライドプレート４０がＹ方向に往復移動可能なように取り付けられている。
【００８８】
＜Ｃ−２．光ディスク退避後の動作＞
図１７は、図５および図１０に示したように、光ディスクが装置１内に退避移動し、光ディスクがターンテーブル５２の真上位置まで到達した後、回動軸５１ａ、５１ｂを中心にトラバースシャーシ５１の揺動変位側端部が、ターンテーブル５２をクランパ１８（図１）に近づける方向に揺動し、ターンテーブル５２が上昇している途中の状態を示している。
【００８９】
この動作をさらに説明する。光ディスクがターンテーブル５２の真上位置まで移動する際に、カバーシャーシ９の裏面に配設されたディスクストッパ２０１（図４および図９）が溝部９ｇ（図１）に案内されて（＋）Ｙ方向に移動する。このとき、ストッパアーム１０２（図３）に連動してフロントアーム１０１（図３）は（−）Ｙ方向にスライドするが、図３を用いて説明したように、スライドプレート４０の溝部４０ｂにはフロントアーム１０１の裏面から垂直方向に延在する突起部１０１ｂが係合しているので、フロントアーム１０１の（−）Ｙ方向のスライドと同時にスライドプレート４０も（−）Ｙ方向にスライドする。
【００９０】
スライドプレート４０が（−）Ｙ方向にスライドすると、それまでカムスライダ３０の溝部３０ｃの（−）Ｘ方向側の最端部に位置していたスライドプレート４０のボス部４０ｔが、図１６に示す状態から溝部３０ｃの平面視形状が略Ｌ字形をなした屈曲部の斜面を押圧し、カムスライダ３０を（−）Ｘ方向側に引き戻す動作を行う。
【００９１】
この引き戻しの移動距離は僅かであるが、カムスライダ３０のギヤ部３０ｄのラック歯車３０ａがギヤ６７に噛合するには充分な距離に設定されており、ギヤ６７の回転駆動力がラック歯車３０ａによって直線駆動力に変換され、カムスライダ３０を（−）Ｘ方向にスライドさせる。
【００９２】
また、スライドプレート４０が（−）Ｙ方向にスライドすることで、それに合わせて係合ピン４０ｆの位置も（−）Ｙ方向に移動し、その移動後の位置に合わせるように、ピン係合壁５１ｘがトラバースシャーシ５１の上昇とともに上昇してくる。なお、図１７に示す状態は、トラバースシャーシ５１が未だ完全に上昇しておらず、係合ピン４０ｆとピン係合壁５１ｘとは未係合の状態にある。
【００９３】
ここで、図３を用いて説明したようにカムスライダ３０は、第１片３０ｐの一方の側面から垂直に延在する第２片３０ｑを有しているが、第２片３０ｑには、トラバースシャーシ５１の揺動変位側端部の端面に突出形成された被駆動ボス部５１ｃ（図１６）が係合する平面視Ｚ字状のカム溝３０ｆが設けられており、カムスライダ３０の（−）Ｘ方向のスライドに伴って、上記被駆動ボス部５１ｃが上記カム溝３０ｆ内を（＋）Ｚ方向に引き上げられるように案内されることで、トラバースシャーシ５１の揺動変位側端部が、ターンテーブル５２をクランパ１８（図１）に近づける方向に揺動する。この動作をターンテーブル５２の上昇動作と呼称する。
【００９４】
なお、光ディスクの進出移動に際しては、カムスライダ３０が上記と反対方向にスライドすることで、ターンテーブル５２をクランパ１８から離間させるようにトラバースシャーシ５１が揺動する。この動作をターンテーブル５２の下降動作と呼称する。
【００９５】
上述したように、被駆動ボス部５１ｃおよびカムスライダ３０はターンテーブルを昇降させるターンテーブル昇降機構の主たる構成要素である。
【００９６】
カムスライダ３０のラック歯車３０ａの配設長さは、ターンテーブル５２が光ディスクを搭載して、光ピックアップ５７による情報の記録および／または読み出し動作が可能な（＋）Ｚ方向の位置（所定の高さ位置）にまで移動するだけの長さに設定されており、ラック歯車３０ａがギヤ６７との噛合から解除された後は、カムスライダ３０のＸ方向のスライド動作は停止する。
【００９７】
なお、ターンテーブル５２が所定の高さ位置にまで上昇すると、クランパ１８の磁力による吸引力により、光ディスクがターンテーブル５２とクランパ１８との間に挟持される。
【００９８】
＜Ｃ−３．光ピックアップの送り動作＞
図１８は、図６および図１１に示したように、トラバースシャーシ５１が完全に上昇し、光ディスクがターンテーブル５２とクランパ１８との間に挟持されて、情報の記録および／または読み出し動作が可能となった状態を示している。
【００９９】
この状態では、スライドラック５８のターンテーブル５２側の端部に設けたボス部５８ａは、トリガープレート６９のカム溝６９ｂには係合しなくなり、光ピックアップ５７とトリガープレート６９との係合が解除され、Ｙ方向に独立してスライド可能な状態となる。これにより、兼用モータ６２の回転方向に応じて、光ピックアップ５７が所定半径方向（Ｙ軸）に沿って往復移動することが可能となる。
【０１００】
なお、情報信号の記録および／または再生に際しては、光ディスクはスピンドルモータ５４（図３）の回転駆動力を受けて回転し、光ピックアップ５７がＹ軸に沿って往復移動することで光ディスク上の所定のデータエリアに対して情報信号が記録および／または再生される。
【０１０１】
ここで、カムスライダ３０は、（−）Ｘ方向に最も移動した状態を示しており、ラック歯車３０ａはギヤ６７には噛合せず、溝部３０ｃの（＋）Ｘ方向側の最端部にスライドプレート４０のボス部４０ｔが係合している。なお、先に図３を用いてカムスライダ３０の溝部３０ｃは、平面視形状が略Ｌ字形をなし、第１片３０ｐの長手方向に沿った略直線状の部分と、第２片３０ｑが設けられた側面に向かって斜めに延在する部分とを有していると説明したが、略直線状の部分は、輪郭が階段状に形成されており、カムスライダ３０が（−）Ｘ方向にスライドするにつれてスライドプレート４０を（−）Ｙ方向にスライドさせる形状となっている。
【０１０２】
この構造により、トラバースシャーシ５１が完全に上昇し、光ディスクがターンテーブル５２とクランパ１８との間に挟持された状態では、ディスクストッパ２０１（図３）が光ディスクＰＤ１（およびＰＤ２）の側面から退避方向に少し（数ｍｍ）離れた位置に存在し、光ディスクＰＤ１（およびＰＤ２）がディスクストッパ２０１に接触しなくなり、光ディスクＰＤ１の回転に際してディスクストッパ２０１が干渉することが防止される。
【０１０３】
従って、カムスライダ３０の溝部３０ｃも、光ディスクＰＤ１（およびＰＤ２）とディスクストッパ２０１との接触防止機構を構成する要素の１つであると言える。
【０１０４】
一方、トラバースシャーシ５１が完全に上昇することで、係合ピン４０ｆとピン係合壁５１ｘの（−）Ｙ方向側の壁面とが係合し、スライドプレート４０が（＋）Ｙ方向に移動することが防止されることとなり、ディスクストッパ２０１が光ディスクＰＤ１（およびＰＤ２）の進出方向に移動すること、すなわち光ディスクＰＤ１（およびＰＤ２）に接近することが確実に防止されることとなる。なお、係合ピン４０ｆの先端は円錐状となっており、またピン係合壁５１ｘの（−）Ｙ方向側の壁面のエッジ部も丸みを帯びるように構成されているので、両者は滑らかに、確実に係合することができる。
【０１０５】
＜Ｄ．特徴的効果＞
以上説明したように、本発明に係る実施の形態の光ディスク装置１においては、ディスクストッパ２０１により光ディスクの進出退避方向に沿った中心軸上での位置決めを自動的に行うことができ、そのための機構は、カバーシャーシ９の上面に設けられたフロントアーム１０１およびストッパアーム１０２と、メインシャーシ１１の同一底面上に設けたスライドプレート４０およびカムスライダ３０で構成されるので、光ディスクの位置決め機構が簡単化され、構造的なトラブルが発生しにくく、また、製造コストも低減できる。
【０１０６】
なお、以上説明した光ディスク装置１は、直径が８ｃｍおよび１２ｃｍの光ディスクに対応する構成であるとしたが、光ディスクの種類はこれに限定されるものではなく、他の直径に対応できるように各部材の寸法を変更すれば、いかなる大きさの光ディスクにも対応できることは言うまでもない。
【図面の簡単な説明】
【０１０７】
【図１】本発明に係る実施の形態の光ディスク装置に直径８ｃｍの光ディスクを収納する途中の状態の外観を示す斜視図である。
【図２】本発明に係る実施の形態の光ディスク装置に直径８ｃｍの光ディスクを収納した状態の外観を示す斜視図である。
【図３】トラバースシャーシの構成を示す斜視図である。
【図４】本発明に係る実施の形態の光ディスク装置に直径８ｃｍの光ディスクを収納する動作を説明する斜視図である。
【図５】本発明に係る実施の形態の光ディスク装置に直径８ｃｍの光ディスクを収納する動作を説明する斜視図である。
【図６】本発明に係る実施の形態の光ディスク装置に直径８ｃｍの光ディスクを収納する動作を説明する斜視図である。
【図７】本発明に係る実施の形態の光ディスク装置に直径１２ｃｍの光ディスクを収納する途中の状態の外観を示す斜視図である。
【図８】本発明に係る実施の形態の光ディスク装置に直径１２ｃｍの光ディスクを収納した状態の外観を示す斜視図である。
【図９】本発明に係る実施の形態の光ディスク装置に直径１２ｃｍの光ディスクを収納する動作を説明する斜視図である。
【図１０】本発明に係る実施の形態の光ディスク装置に直径１２ｃｍの光ディスクを収納する動作を説明する斜視図である。
【図１１】本発明に係る実施の形態の光ディスク装置に直径１２ｃｍの光ディスクを収納する動作を説明する斜視図である。
【図１２】フロントアームの構成を説明する斜視図である。
【図１３】ストッパアームの構成を説明する斜視図である。
【図１４】ディスクストッパの構成を説明する斜視図である。
【図１５】ディスクストッパの構成を説明する斜視図である。
【図１６】光ディスクが退避していない段階でのトラバースユニットの状態を示す斜視図である。
【図１７】光ディスクが退避する途中でのトラバースユニットの状態を示す斜視図である。
【図１８】光ディスクが退避した段階でのトラバースユニットの状態を示す斜視図である。
【符号の説明】
【０１０８】
９  カバーシャーシ、１１  メインシャーシ、２０  フラップ、４０  スライドプレート、５１ｃ  被駆動ボス、５２  ターンテーブル、５７  光ピックアップ、１０１  フロントアーム、１０１ｅ  解除ロッド、１０２  ストッパアーム、２０１  ディスクストッパ、ＰＤ１，ＰＤ２  光ディスク、ＳＬ  ディスク出入口。
【図１】
2006190407.tif 000003
【図２】
2006190407.tif 000004
【図３】
2006190407.tif 000005
【図４】
2006190407.tif 000006
【図５】
2006190407.tif 000007
【図６】
2006190407.tif 000008
【図７】
2006190407.tif 000009
【図８】
2006190407.tif 000010
【図９】
2006190407.tif 000011
【図１０】
2006190407.tif 000012
【図１１】
2006190407.tif 000013
【図１２】
2006190407.tif 000014
【図１３】
2006190407.tif 000015
【図１４】
2006190407.tif 000016
【図１５】
2006190407.tif 000017
【図１６】
2006190407.tif 000018
【図１７】
2006190407.tif 000019
【図１８】
2006190407.tif 000020